(57)【特許請求の範囲】
【請求項１】
液透過性の表面シート、裏面シート及びこれら両シート間に介在された縦長の吸収体を具備する吸収性物品であって、
前記吸収体は、少なくとも上層及び下層の２層を備え、
前記上層と前記下層のそれぞれは、前記吸収体の長手方向の両側部に位置する部分それぞれに、複数本の切れ込みを有しており、
前記上層における切れ込みと、前記下層における切れ込みとが、前記吸収体の長手方向において、重ならない位置に形成されている、吸収性物品。
【請求項２】
前記上層及び前記下層がそれぞれシート状吸収体である、請求項１記載の吸収性物品。
【請求項３】
前記上層及び前記下層は、前記吸収体の幅方向中央部において、直接又は他の部材を介して接合されており、前記吸収体の長手方向の両側部においては、接合されていない請求項１又は２記載の吸収性物品。
【請求項４】
前記表面シートと前記吸収体との間及び該吸収体と前記裏面シートとの間の少なくとも一方が、該吸収体の長手方向の両側部それぞれにおいて、前記切れ込みを跨ぐ接合部が生じないように接合されている、請求項１〜３の何れか１項記載の吸収性物品。
【請求項５】
前記表面シートと前記吸収体との間及び該吸収体と前記裏面シートとの間の少なくとも一方が、該吸収体の長手方向の両側部それぞれにおいて、該長手方向の両側部で隣り合う一組の切れ込み間のみにおいて接合されている、請求項４記載の吸収性物品。
【請求項６】
前記表面シート及び前記裏面シートそれぞれが、前記吸収体の長手方向と同方向に伸長性を有している、請求項１〜５の何れか１項記載の吸収性物品。
【請求項７】
前記切れ込みは、スリット状であって、記吸収体の幅方向に対する角度が０°以上４５°未満となるよう配されている、請求項１〜６の何れか１項記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
生理用ナプキン等の吸収性物品における漏れを防止する考え方の一つに、吸収性物品の肌当接面と着用者の肌との間にできるだけ隙間を生じさせないことがある。隙間を生じさせないためには、吸収性物品が着用者の動きに追従して変形することが有効であり、そのために、伸長可能とした吸収性物品が知られている（例えば、特許文献１参照）。
また、生理用ナプキン等の吸収性物品の吸収体として使用できる、薄型で吸収容量の大きい吸収性シートが提案されている（例えば、特許文献２参照）。
さらに、吸収体の長手方向側部の前方後方それぞれに一対のスリットを形成し、スリット部で吸収体を座屈させて前部と後部を起立させる構成が開示されているが、本発明が目的とするしなやかな湾曲形状は記載されていない。また、スリット部から液漏れ発生することが記載されているが、何ら液漏れを解決するものではない（特許文献３参照）。同様に、後方部にスリットを形成し、吸収体を折れ線で折り曲げて３次元構造形成するもので、やはりしなやかな湾曲形状を呈するものではない（特許文献４参照）。
【先行技術文献】
【特許文献】
【０００３】
【特許文献１】特表平１０−５０８２２５号公報
【特許文献２】特開平８−２４６３９５号公報
【特許文献３】特開平７−４４７号公報
【特許文献４】特表２００１−５０９４０５号公報
【発明の概要】
【発明が解決しようとする課題】
【０００４】
特許文献１記載の吸収性物品は、下着に取り付けた状態で、下着と一緒に伸縮することを想定しているが、吸収性物品が伸長した場合に吸収性能が低下する。
また、特許文献２記載の吸収性シートは、同じ薄さであれば、飛散状態で供給した粉砕パルプを吸引堆積させてなる吸収体に比して剛性が高くなる傾向にあるため、着用時に大きく変形する吸収性物品に使用した場合には、該物品の幅方向中央部に位置する部分が長手方向に座屈し、それにより生じる折り目や皺、ヨレ等が、着用者に、硬いものが当たるような違和感や、ごわごわする感触を与える等の不都合がある。
さらに、特許文献３、４記載の生理用ナプキンは、三次元形状を開示するが、本発明の目的の形状とは異なる。
【０００５】
従って、本発明の目的は、フィット性、着用者の動きに対する追従性、防漏性及び装着感に優れた吸収性物品を提供することにある。
【課題を解決するための手段】
【０００６】
本発明は、液透過性の表面シート、裏面シート及びこれら両シート間に介在された縦長の吸収体を具備する吸収性物品であって、前記吸収体は、少なくとも上層及び下層の２層を備え、前記上層と前記下層のそれぞれは、前記吸収体の長手方向の両側部に位置する部分それぞれに、複数本の切れ込みを有しており、前記上層における切れ込みと、前記下層における切れ込みとが、前記吸収体の長手方向において、重ならない位置に形成されている、吸収性物品を提供することにより前記目的を達成したものである。
【発明の効果】
【０００７】
本発明の吸収性物品は、しなやかな湾曲形状を呈することができ、装着者の股下部に則した湾曲形状を呈し、フィットしつつ装着感の良い３次元形状を形成することが出来、液漏れを抑える事が出来る。
【図面の簡単な説明】
【０００８】
【図１】本発明の一実施形態としての生理用ナプキンを一部破断して示す斜視図である。
【図２】図１のＩＩ−ＩＩ線模式断面図である。
【図３】図１に示す生理用ナプキンの吸収体を分解して示す図である。
【図４】図１に示す生理用ナプキンの吸収体を示す平面図である。
【図５】図４のＩＩＩ−ＩＩＩ線模式断面図である。
【図６】図１に示す生理用ナプキンの着用時における変形形状を示す斜視図である。
【図７】図１に示すナプキンが装着過程で、平面状のナプキンが装着者の腿で樋状に湾曲され、湾曲したままショーツで前後部が身体の曲面に沿うよう湾曲する様子を示す図である。
【図８】本発明の他の実施形態における吸収体を示す平面図である。
【図９】従来のナプキンが装着時に股下で座屈している様子を示す図である。
【発明を実施するための形態】
【０００９】
以下に、本発明について、その好ましい一実施形態に基づき図面を参照しながら説明する。
本実施形態の生理用ナプキン１（以下、単にナプキン１ともいう）は、図１及び図２に示すように、液透過性の表面シート２、液不透過性（難透過性も含む概念）の裏面シート３、及びこれら両シート２，３間に介在された縦長の吸収体４を具備する。ナプキン１における吸収体４の長手方向は、ナプキン１を着用したときの着用者の前後方向と一致し、ナプキン１の長手方向とも一致している。
表面シート２及び裏面シート３は、吸収体４の上下面を被覆しており、吸収体４の周縁から延出した部分が、ナプキン１の周縁部１１において互いに接合されている。ナプキン１の裏面シート３側の面（非肌当接面）には、ショーツ等の下着に固定するための粘着部（図示略）が設けられている。
【００１０】
ナプキン１における吸収体４は、図１〜図３に示すように、積層された２枚のシート状吸収体４１，４２を有する。本発明における「積層」には、層間が接合されている場合及び層間が接合されていない場合の両者が含まれる。また、本実施形態のナプキン１においては、図２に示すように、２枚のシート状吸収体４１，４２間に細幅の中央吸収体４３が介在しているが、２枚のシート状吸収体４１，４２間に、中央吸収体４３のような他の部材が介在している場合であっても、吸収体４の両側部Ｓ，Ｓにおいて、シート状吸収体４１，４２間を液が移行可能な限り「積層」に該当する。
【００１１】
そして、２枚のシート状吸収体４１，４２それぞれは、図３に示すように、吸収体４の長手方向の両側部Ｓ，Ｓに位置する部分それぞれに、複数本の切れ込み４１ａ〜４１ｃ，４２ａ〜４２ｃを有している。
より具体的に説明すると、２枚のシート状吸収体４１，４２それぞれにおける、複数本の切れ込み４１ａ〜４１ｃ，４２ａ〜４２ｃは、吸収体４の長手方向に、所定の間隔を設けて間欠的に形成されている。また、各切れ込みは、概ね吸収体４の幅方向に延びて形成されている。本実施形態における切れ込みは、スリット状をなし、吸収体４の幅方向と略平行に形成されている。また、上層切れ込みの下層に、下層切れ込みが存在しないように配置すれば、切れ込みは、三角形状の切欠きでもかまわない。
【００１２】
シート状吸収体４１，４２に形成する切れ込みの本数や間隔は、ナプキン１の大きさや吸収体４の大きさ等に応じて適宜に決定することができる。
各シート状吸収体４１，４２において、吸収体４の長手方向において隣り合う切れ込み間の間隔Ｌ１．Ｌ２（図３参照）は、１〜７ｃｍであることが好ましく、より好ましくは１．５〜５ｃｍであり、更に好ましくは１．５〜３ｃｍである。
また、各シート状吸収体４１,４２において、長手方向片側の切れ込みの本数（図３には３本図示）は、２〜５０本が好ましく、３〜３０本がより好ましく、特に３〜１５本が好ましい。より具体的な例を示せば、吸収体４の全長Ｌ（図４参照）が、８〜２０ｃｍの場合、各シート状吸収体４１,４２の片側の切れ込みの本数は２〜２０本、特に３〜１５本程度が好ましい。
【００１３】
切れ込みの本数は、排泄部対向領域の両側部に多く形成することが好ましく、排泄部対向領域の側部のみに形成し、長手方向の前後端に切れ込みが存在しなくてもかまわない。
切れ込みの間隔は均等である必要はなく、例えば、長手方向中央付近の間隔が狭く、前後方向に行くほど粗くてもよい。後述する（段落〔００２２〕参照）様に、本ナプキン１が滑らかな曲面形状をなすには、吸収体を長さ方向に３等分したときの中央領域、あるいは臀部を覆う後部フラップ付ナプキンの場合の排泄部対向領域において、切れ込みの本数が多く、間隔が狭いことが好ましい。
【００１４】
本ナプキン１において、２枚のシート状吸収体４１のうちの、一方のシート状吸収体４１における切れ込み４１ａ〜４１ｃと、他方のシート状吸収体４２における切れ込み４２ａ〜４２ｃとは、吸収体４の長手方向における異なる位置に形成されて上下層の切れ込み位置が重ならない。上下層の切れ込み位置が重なると、上層に排泄された経血が切れ込みを伝わり、重なる下層の切れ込みを伝わって裏面層に容易に到達し、下層での液拡散を妨げるものと考えられる。重ならないことで下層での上層からの液拡散を妨げることがない。
【００１５】
本ナプキン１においては、図１、図３及び図４に示すように、シート状吸収体４１の切れ込み４１ａ〜４１ｃとシート状吸収体４２の切れ込み４２ａ〜４２ｃとは、一方のシート状吸収体４１の切れ込み間に、他方のシート状吸収体４２の切れ込みが位置するように配置されており、より具体的には、一方のシート状吸収体４１の切れ込みと、他方のシート状吸収体４２の切れ込みとが、吸収体４の長手方向に交互に配置されている。
そのため、シート状吸収体４１の切れ込みとシート状吸収体４２の切れ込みとを区別しない場合の切れ込み間の間隔Ｌ３（吸収体長手方向の間隔、図４参照）は、前記間隔Ｌ１．Ｌ２（図４参照）より狭まっている。シート状吸収体４１の切れ込みとシート状吸収体４２の切れ込みとを区別しない場合の前記間隔Ｌ３（図４参照）は０．５〜７ｃｍであることが好ましく、より好ましくは１〜５ｃｍであり、更に好ましくは１．２〜３ｃｍである。
【００１６】
シート状吸収体４１の長手方向側部からの切れ込み長さ、すなわち切れ込みの深さＬ１１（図３参照）は、各々の切れ込みが設けられた部位における吸収体４の幅Ｗ（図４参照）の１０〜４０％であることが好ましく、より好ましくは１５〜３０％である。シート状吸収体４２の切れ込みの深さＬ２１（図３参照）は、各々の切れ込みが設けられた部位における吸収体４の幅Ｗ（図４参照）の１０〜４０％であることが好ましく、より好ましくは１５〜３５である。尚、Ｌ１１及びＬ２１は、それぞれ、１〜４ｃｍであることが好ましく、より好ましくは１．２〜３ｃｍである。Ｌ１１とＬ２１とは異なっていても良いが、本ナプキン１においては、Ｌ１１とＬ２１とはほぼ同じである。
シート状吸収体のそれぞれの厚みは上下層同じでも異なっていてもかまわない。厚みは、０．２〜１０ｍｍが好ましく、０．２〜５ｍｍが好ましく、特に０．２〜１ｍｍが好ましい。
【００１７】
２枚のシート状吸収体４１，４２間は、図５に示すように、吸収体４の幅方向中央部Ｍにおいては、細幅の中央吸収体４３（他の部材）を介して接合されており、吸収体４の長手方向両側部Ｓ，Ｓにおいては、接合されていない。
２枚のシート状吸収体４１，４２間が吸収体４の幅方向中央部Ｍにおいて接合されていることにより、２枚のシート状吸収体の（主として中央部の）離間や吸収体の移動（ずれ）による液の拡散が抑えられて排泄された液が吸収保持されやすく、身体形状へ追従しやすい。さらに、各吸収体がばらばらに動かないため切れ目間での部分的なよれを防ぐことができることや元の形状に復元し易い等、スムーズな液移動性、ヨレ防止性に効果を発揮する。また、中央吸収体を有することにより、液保持能を高めたり、中央部の形状が安定することから側部の形状も安定し復元性もより良好となる。他方、２枚のシート状吸収体４１，４２間が、吸収体４の長手方向両側部Ｓ，Ｓにおいて接合されていないことにより、それぞれの切れ込み４１ａ〜４１ｃ，４２ａ〜４２ｃが開くことが阻害されずに、吸収体４の両側部Ｓ，Ｓに良好な伸長性が得られる。
尚、ナプキン１においては、中央吸収体４３の表裏面に同様の態様で接着剤が塗工されており、２枚のシート状吸収体４１，４２間は、図３及び図５中の符号４４で示す部分においてのみ接合されている。
【００１８】
ナプキン１においては、表面シート２と吸収体４との間及び吸収体４と裏面シート３との間が、吸収体４の幅方向中央部Ｍにおいて該吸収体４の長手方向に沿って接合されている。具体的には、吸収体４における表面シート２側の面は、図３中の符号４５で示す部分において表面シート２と接合されており、吸収体４における裏面シート３側の面は、図３中の符号４６で示す部分において裏面シート３と接合されている。
表面シート２と吸収体４との間を、このような態様で接合することにより、表面シートの柔軟性やナプキンの取り扱い性や装着感が良好であり、吸収体における可動性が抑制されず、着用者の動きに対する追従性、防漏性が良好となる。
吸収体４と裏面シート３との間を、このような態様で接合することにより、ナプキンの装着時の湾曲に対応しやすいため、フィット性が良好であり、よれが起こり難く、吸収体における可動性が抑制されず、着用者の動きに対する追従性、防漏性が良好となる。
【００１９】
また、ナプキン１においては、表面シート２と吸収体４との間及び吸収体４と裏面シート３との間が、吸収体４の長手方向の両側部Ｓ，Ｓそれぞれにおいて、切れ込みを跨ぐ接合部が生じないように接合されている。具体的には、吸収体４における表面シート２側の面は、図３中の符号４７で示す部分において表面シート２と接合されており、吸収体４における裏面シート３側の面は、図３中の符号４８で示す部分において裏面シート３と接合されている。「切れ込みを跨ぐ接合部が生じない」とは、表面シート２と吸収体４との間の接合については、吸収体４の表面シート２側の面を形成するシート状吸収体４１の切れ込み４１ａ〜４１ｃを跨がない（切れ込みを挟んでその前後で連続していない）ことを意味し、吸収体４と裏面シート３との間の接合については、吸収体４の裏面シート３側の面を形成するシート状吸収体４２の切れ込み４２ａ〜４２ｃを跨がない（切れ込みを挟んでその前後で連続していない）ことを意味する。
【００２０】
表面シート２と吸収体４との間及び／又は吸収体４と裏面シート３との間を、このような態様で接合することにより、シート状吸収体４１の切れ込み４１ａ〜４１ｃ及び／又はシート状吸収体４２の切れ込み４２ａ〜４２ｃが開きにくくなることを防止でき、吸収体４の両側部に良好な伸長性が得られる。また、製品（長手方向の）概ね中央部に、幅方向に概ね連続した固定点を形成して、幅方向にヨレにくくできる。
長手方向、幅方向のヨレ防止効果を高めるためには、表面シート２と吸収体４との間及び吸収体４と裏面シート３との接合領域が部分的に重なっていることが効果的である。図３に即して具体的には、表面側から重ね合わせて見たとき、４５，４６が重なる位置にあり、４７，４８が（完全には重ならないが）４７の前端と４８の後端で重なる位置関係にあることが好ましい。
【００２１】
また、本ナプキン１においては、図３に示すように、表面シート２と吸収体４との間は、吸収体４の長手方向の両側部それぞれにおいて、該長手方向に隣り合う一組の切れ込み４１ｂ，４１ｃ間のみにおいて接合されている。また、吸収体４と裏面シート３との間は、吸収体４の長手方向の両側部それぞれにおいて、該長手方向に隣り合う一組の隣り合う４２ａ，４２ｂ間のみにおいて接合されている。長手方向に隣り合う一組の切れ込み間のみとは、長手方向に隣り合う切れ込みが３本以上あり、切れ込み間に挟まれた領域が複数あるとしても、そのうちの一つの領域のみにおいて接合されているという意味である。
表面シート２と吸収体４との間及び／又は吸収体４と裏面シート３との間が、このような態様で接合されていると、シート状吸収体４１の切れ込み４１ａ〜４１ｃ及び／又はシート状吸収体４２の切れ込み４２ａ〜４２ｃが開きにくくなることを一層防止でき、吸収体４の両側部に一層良好な伸長性が得られる。
【００２２】
尚、上記部分４４〜４８における接合は、それぞれ、接着剤による接合が好ましいが、接着剤に代えて、ヒートシール等の他の任意の接合方法を用いることもできる。また、接着剤で接合する場合、スロットコーター等によるべた塗りでも良いが、パターン塗工が好ましい。パターン塗工の塗工パターンの好ましい例としては、スパイラルパターン、ドットパターン、ストライプパターン（縞状パターン）、格子パターン、市松模様状のパターン等が挙げられる。さらに、よれ防止性を向上するため、ナプキンの排泄部中央（本実施形態では図４のIII-III線位置）の１箇所のみにシート状吸収体４１，４２間を両シート状吸収体に切れ目がない状態の場合固定することが可能である。
【００２３】
本実施形態のナプキン１は、図６に示すように、ショーツ等の下着（以下、単にショーツともいう）の股下部の内面側（肌対向面側）に固定されて使用される。
ナプキン１を装着する際には、ショーツにナプキン１を固定した後、ショーツを引き上げるが、ショーツを引き上げる際には、先ず、ナプキン１に対して、ナプキン１の幅方向の断面形状を上方に向かって凸に変形させる力が主として加わり、さらに、ナプキン１の長手方向の断面形状を上方に向かって凹に変形させる力が加わる（図７参照）。
本実施形態のナプキン１においては、吸収体４の長手方向の両側部Ｓ，Ｓが、シート状吸収体４１，４２の切れ込み４１ａ〜４１ｃ，４２ａ〜４２ｃが開くことによって柔軟に伸長するため、ナプキン１に対して、その長手方向の断面形状を上方に向かって凹に変形させるような力が加わったときに、吸収体４の長手方向の両側部Ｓ，Ｓがスムーズに伸長して、吸収体４は、その長手方向の断面が肌当接面側に凹に緩やかに湾曲した形状となり幅方向の断面も肌当接面側に凸に緩やかに湾曲した形状となる。
そのため、吸収体の座屈、特にナプキン（吸収性物品）の幅方向中央部に位置する部分が長手方向に座屈（図９参照）することが防止され、吸収体の座屈により生じる折り目や皺、ヨレ等による違和感や不快感を防止することができる。また、伸長した吸収体４の両側部Ｓ，Ｓは、外力を受けて収縮することもできるため、着用者の動きに対する追従性にも優れており、着用者の身体形状にフィットした状態が安定に維持される。
【００２４】
吸収体の変形を促す工夫について更に詳述する。
この様に、ナプキン１を、その長手方向の断面が肌当接面側に凹に緩やかに湾曲した形状となり、かつ幅方向の断面も肌当接面側に凸に緩やかに湾曲した形状に変形するためには、製品全体がどの方向にも伸縮可能で、所定の形状に滑らかかつ自在に変形可能なことが好ましい。さらに製品長手方向両側部Ｓ，Ｓが切れ目において離間することで中央領域Ｍに対して相対的に伸張することが必要である。即ち、前述の変形過程で、ナプキン１がまず幅方向（断面形状）を上に凸になるように変形するのは、ナプキン１が柔らかければ容易である。一方、更にナプキン１が長手方向（断面形状を）上方に向かって凹に変形するには、製品中央部分と両側部が異なる変形の仕方をする必要があり、具体的には、製品両側部が製品中央部に対して相対的に長手方向に伸びる必要がある。「相対的に伸張する」とは、両側部の長さが実際に長手方向に伸びるか、或いは中央部分の長さが長手方向に縮むか、いずれかの現象を意味する。前述のような、身体形状にフィットする湾曲形状を形成する為には、この様に部位によって異なる変形状態（伸張若しくは収縮状態）を達成する必要があるため、単純に製品の薄さや柔らかさをコントロールするだけでは全く不十分である（座屈、シワ、ヨレの発生が避けられない）。
【００２５】
更に具体的には、人体の股に沿う曲率（製品幅方向の上に凸の形状に対応する）、並びに腹部〜臀部に沿う曲率（製品長手方向の上に凹の形状に対応する）の両方に対応して、２軸で曲がってフィットする為には、製品両側部が製品中央に対して（相対的に、）長手方向２０〜５０％程度伸張する必要があり、特に２０〜３０％程度の伸張があれば概ね良好に所定の形状に変形可能であることが判った。
【００２６】
好ましくはナプキン１を構成する全ての部材が、上記の伸張（伸縮）特性を備えることが最も望ましいが、製品の変形に最も影響の大きい存在である吸収体に、上記の伸張（伸縮）特性を与える工夫を施すことも大変効果的である。前述の通り中央領域が収縮可能な吸収体も効果的である。既存材料で最も簡便かつ効果的に課題を解決する方法は、吸収体両側部Ｓ，Ｓに複数本の切れ込みを施す方法である。この場合両側部Ｓ，Ｓの伸張は切れ込みの口開きによって起こる。解放端（即ち吸収体両側縁）に近いほど開きが大きく、伸張性も大きくなる為、所定の形状を作り出すのに有利である。滑らかな曲面を作り出すには、原則的には切れ込みの本数が多いほど有利であり、かつ切れ込みが深いほど有利である。
【００２７】
しかも、本実施形態のナプキン１においては、シート状吸収体４１における切れ込み４１ａ〜４１ｃとシート状吸収体４２における切れ込み４２ａ〜４２ｃとが重なっていないため、シート状吸収体４１，４２の切れ込み４１ａ〜４１ｃ，４２ａ〜４２ｃの全体又は一部が開いても、開いた切れ込みを介して液漏れを生じることもない。
【００２８】
また、本実施形態のナプキン１においては、表面シート２及び裏面シート３が何れも吸収体４の長手方向と同方向及び幅方向と同方向に伸縮性を有しているため、ナプキン１の両側部が長手方向に伸縮性を有し、そのため、着用者の身体形状にフィットした状態が一層安定に維持される。
【００２９】
また、本実施形態のナプキン１においては、吸収体４の幅方向中央部における２枚のシート状吸収体４１，４２間に、２枚のシート状吸収体４１，４２それぞれの幅よりも幅の狭い中央吸収体が配されているため、幅方向中央部における吸収容量を高めることができると共に、吸収体４の長手方向両側部において、シート状吸収体４１，４２の切れ込み部が開きやすくなる。中央吸収体４３の幅Ｗ３（図３参照）は、吸収体４の排泄部対向部（着用者の液排泄部に対向配置される部位）において、吸収体４の幅Ｗ（図４参照）の２０〜６０％であることが好ましく、３０〜５０％であることが更に好ましい。
【００３０】
尚、本発明の吸収性物品における、表面シート及び裏面シートは、何れも、吸収体の長手方向と同方向に少なくとも伸長性を有していることが好ましい。また、表面シート及び裏面シートは、何れも、吸収体の長手方向と同方向及び吸収体の幅方向と同方向に伸長性を有することがより好ましい。更に、表面シートは、吸収体の長手方向と同方向に伸縮性を有することが好ましく、吸収体の長手方向と同方向及び吸収体の幅方向と同方向に伸縮性を有することが好ましい。
【００３１】
ここで「伸長性を有する」とは、例えば以下のようにして測定した伸張率（長さ変化）が、１０％以上であることを意味し、当該伸張率が、２０〜４０％であることが好ましい。
当業者公知の一般的な材料は、５０ｇ程度の低荷重での伸張性を有しないため、以下の方法で伸張率を測定する方法が簡便に利用可能である。
（試験片の準備）測定したい方向を長手方向とし、これと直交する方向を幅方向とし、長手方向１２ｃｍ×幅１ｃｍとなるようにカットして試験片とする。例えば吸収体長手方向と同方向について測定する場合は長手方向１２ｃｍ×幅方向１ｃｍとなり、同幅方向について測定する場合は長手方向１ｃｍ×幅方向１２ｃｍとなる。
（低荷重伸張率の測定）
測定機；オリエンテック（株）製テンシロン引っ張り試験機  ＲＴＭ１００を使用した。
測定条件；チャック間距離１０ｃｍ
引っ張り速度；１００ｍｍ／分
引っ張り方向で測定を行い、荷重５０ｇまで引っ張ったところで装置を停止する。
チャートまたはチャック間距離実測で、試験片の長さ変化を読み取り、以下の様に伸張率を計算する。
伸張率（％）＝長さ変化量（ｍｍ）／元の試験片長さ（ｍｍ）    ×１００
【００３２】
また、「伸縮性を有する」とは、例えば同様に測定した材料の永久歪みが、殆どなくほぼ完全に復元可能であることを意味する。
測定は前記伸張率測定に引き続き、試験片の回復過程を測定することが最も簡便である。
前記伸張率計測後、直ちに元のチャック間距離までテンシロンを復元する。この時の測定速度１００ｍｍ／分。
チャートより、引っ張り荷重が０ｇとなる点を読み取る。完全に伸縮する材料の場合、０ｇとなるのは０ｍｍ伸張の点となり、不完全な伸縮性の材料では手前側（数ｍｍ〜数ｃｍの伸びを残した位置）で０ｇとなる。この０ｇ位置の伸張率を永久歪みとする。即ち、
永久歪み（％）＝０ｇ復元時の伸び（ｍｍ）／元の試験片長さ（ｍｍ）    ×１００
【００３３】
本ナプキン１においては、表面シート２として、熱収縮性繊維を含む第１繊維層と、実質的に熱収縮しない繊維又は前記熱収縮性繊維の収縮開始温度では実質的に熱収縮しない繊維を含む第２繊維層とを積層して部分的に接合させた後、熱風処理により、第１繊維層を収縮させて得た凹凸シートを用いている。この凹凸シートにおいては、第２繊維層が、第１繊維層との接合部以外の部分において突出して凸部を形成している一方、前記接合部が凹部を形成しており、ナプキン１においては、凹凸シートにおける第２繊維層側を、着用者の肌に向けて使用している。この凹凸シートは、収縮した第１繊維層が緻密な層を形成しているため、シート状吸収体４１，４２として、吸水性ポリマーを含むものを使用したときに、切れ込みから吸水性ポリマーが漏れ出しても、ナプキン１の肌当接面に吸水性ポリマーが漏れ出すことを防止できる。熱収縮性繊維は、潜在捲縮性繊維が好ましい。このような凹凸シートとしては、特開２００２−１８７２２８号公報、特開２００３−２５０８３６号公報、特開２００４−１６６８４９号公報、特開２００４−２０２８９０号公報、等に記載のものを用いることがでる。
【００３４】
尚、潜在捲縮性繊維としては、熱処理によりコイル状の捲縮を発現するもので、例えば、収縮率の異なる２種類の熱可塑性ポリマー材料を成分とする偏心芯鞘型複合繊維又はサイド・バイ・サイド型複合繊維からなる。その例としては、特開平９−２９６３２５号公報や特許２７５９３３１号公報に記載のものが挙げられる。第２繊維層の構成繊維としては、熱可塑性ポリマー材料からなる繊維が好適に用いられる。熱可塑性ポリマー材料としては、ポリエチレンやポリプロピレン等のポリオレフィン、ポリエチレンテレフタレート等のポリエステル、ポリアミド等が挙げられる。また、これらの熱可塑性ポリマー材料の組み合わせからなる芯鞘型やサイド・バイ・サイド型の複合繊維も用いることができる。
【００３５】
表面シート２としては、この種の物品に従来用いられているものを特に制限なく使用することができるが、表面シート２として用い得る好ましい他の伸縮性シートとしては、（ａ）ウレタン樹脂を用いたスパンボンド不織布を親水化してなる伸縮性シート、（ｂ）ウレタン樹脂を用いたスパンボンド不織布を少なくとも一方向に引き伸ばしておき、それにエアスルー不織布を積層してドット状のエンボスで貼り合わせた後、解放して得られる凹凸不織布、（ｃ）ウレタンやＥＶＡ等の弾性樹脂から立体的な開孔を有するフィルムを成形し、それを親水化したもの等が挙げられる。
【００３６】
また、裏面シート３としては、この種の物品に従来用いられているものを特に制限なく使用することができるが、裏面シート３として用い得る好ましい伸縮性シートとしては、ウレタンやメタロセン触媒を用いて得られるポリオレフィン樹脂から得られるフィルム等や、ポリエステル系の弾性フィルムが挙げられる。
表面シート２及び／又は裏面シート３として伸長性又は伸縮性のシートを用いる場合、ナプキン１の周縁部１１における両者の接合は、伸長性や伸縮性を阻害しない観点からホットメルト型接着剤等の接着剤を介して行うことが好ましい。
【００３７】
本実施形態のナプキン１においては、２枚のシート状吸収体４１，４２及び中央吸収体４３として、繊維材料及び吸水性ポリマーを含む吸収性シートを用いている。吸収性シートとしては、湿潤状態の吸水性ポリマーに生じる粘着力や別に添加した接着剤や接着性繊維等を介して、吸水性ポリマーを構成繊維に結合させてなるものが、切れ込みからの吸水性ポリマーの脱落が少ない点等から好ましい。
【００３８】
吸収性シートとしては、例えば、特開平８−２４６３９５号公報記載の方法にて製造された吸収性シート、気流に乗せて供給した粉砕パルプ及び吸水性ポリマーを堆積させた後、接着剤（例えば酢酸ビニル系の接着剤、ＰＶＡ等）で固めた乾式シート、紙や不織布の間にホットメルト接着剤等を塗布した後高吸収性ポリマーを散布して得られた吸収性シート、スパンボンド又はメルトブロー不織布製造工程中に高吸収性ポリマーを配合して得られた吸収性シート等を用いることができる。これらの吸収性シートは、一枚を所定形状に裁断してシート状吸収体として用いることができる。また、吸収性シートを複数枚貼り合わせて多層シートとするか又は一枚の吸収性シートを折り畳むと共にそれらの層間を接着して多層シートとし、そのようにして得た多層シートを、シート状吸収体として用いることもできる。
【００３９】
シート状吸収体４１，４２に切れ込みを形成するには、各シート状吸収体４１，４２を公知の切断手段により切断すれば良いが、吸水性ポリマーを含むシート状吸収体を用いる場合は、吸水性ポリマーが漏れ出すのを防止する観点から、シート状吸収体中に熱可塑性繊維やホットメルト接着剤等の熱融着性材料を含ませておき、切断と同時又は切断の前後に熱融着性材料を溶融させ、溶融した熱融着性材料により、切断面を、吸水性ポリマーが漏れ出さないように封鎖することも好ましい。
【００４０】
本発明は、シート状吸収体として比較的剛性の高いものを用いても、吸収体を身体形状に良好にフィットする図６に示すような形状に変形させ得る点で有利である。
比較的剛性の高い吸収体としては、その剛性が３０〜３００ｃＮ、特に５０〜２００ｃＮのものを挙げることができる。
ここでいう剛性は、以下のようにして測定される。
ＪＩＳ  Ｌ１０９６（一般織物試験方法）に規定された剛軟性測定法に適合した（株）大栄科学精器製作所製：ハンドロメーター試験機を使用する。スロット間を３０ｍｍに調整した試料台上に、試験片を、該試験片の測定部位がスロット間の中心に位置するように且つ吸収体の長手方向に沿う該試験片の長さがスロットに直交する方向と一致するようにして、水平に配置する。試験片は試料台に固定しない。試料台の表面から８ｍｍ下方の位置（最下位置）まで下降するように調整したブレードを、試験片の上方から一定速度：２００ｍｍ／ｍｉｎで下降させる。そして、該試験片を長さ方向前後に押圧したときの指示計（荷重計）が示す最高値（ｃＮ）を読み取る。測定は５回行い、その平均値を算出して剛性値とした。
尚、測定はスリットを含まない部分を用いて行う。
【００４１】
尚、シート状吸収体は、厚みが１〜５ｍｍ、特に１．２〜４ｍｍのものを用いることが好ましく、坪量が４０〜２５０ｇ／ｍ2、特に５５〜１８０ｇ／ｍ2のものを用いることが好ましい。
【００４２】
以上、本発明の一実施形態について説明したが、本発明は、上述した実施形態に制限されず種々変更が可能である。
例えば、上述したナプキン１においては、２枚のシート状吸収体４１，４２間が、吸収体４の幅方向中央部Ｍにおいて中央吸収体４３を介して接合されていたが、２枚のシート状吸収体４１，４２間が、吸収体４の幅方向中央部Ｍにおいて直接接合されていても良い。
【００４３】
また、シート状吸収体４１（４２）の切れ込みは、吸収体の幅方向と平行なものに限られず、図８（ａ）に示すように、吸収体の幅方向に対して角度を有する切れ込み４１ａ〜４１ｃ（４２ａ，４２ｂ）であっても良い。吸収体４の幅方向に対する切れ込みの角度は、例えば０°以上４５°未満、好ましくは０°以上３０°未満とすることができる。
また、シート状吸収体４１（４２）の切れ込みは、直線状のものに限られず、図８（ｂ）に示す切れ込み４１ａ〜４１ｃ（４２ａ〜４２ｃ）のように、平面視して細幅三角形状のもの等であっても良い。
【００４４】
また、シート状吸収体４１（４２）は、図８（ｃ）に示すように、長手方向の両側部に概ね幅方向に延びるように形成された切れ込み４１ａ,４１ｂ（４２ａ,４２ｂ）に加えて、長手方向の両端部に概ね長手方向に延びるように形成された切れ込み４１ｄを有していても良い。
更に、シート状吸収体４１（４２）は、図８（ｄ）に示すように、吸収体の長手方向における一方の側部と他方の側部とで、切れ込み４１ａ，４１ｂ（４２ａ，４２ｂ）の形成位置が異なるものであっても良い。
【００４５】
また、表面シート、シート状吸収体４１（４２）を一体的に結合する、熱エンボスによる溝を付加してもよい。溝の形成によって、表面から吸収体までの構成が一体化され、液の吸収や移動をスムーズにする効果が得られる他、溝の内側の領域が一体化して剛性が増す為、周囲の変形が伝わりにくく、排泄スポットに安定してぴったり当たり易くなる。即ち、全体が同じように変形すると真ん中にもしわ寄せが来る為、ヨレたり浮いたりしやすい。全周溝のようなもので中央を囲い込むと変形が伝わりにくく形状が安定するので、ちゃんと排泄スポットに当たり続けられる。該溝は、シート状吸収体４１（４２）の切れ込みにかからない、幅方向中央域に選択的に付加されるのが望ましいが、切れ込みの一部にかかっても、その伸張性を損なわない範囲であれば付加可能である。伸張性の観点から、溝の付加範囲は、好ましくは製品中央部幅の３分の１以内、更に好ましくは切れ込みがなされていない部分の幅以内である。溝形状は中央部を囲い込むような全周溝形状（中央吸収体４３が存在する場合では該中央吸収体４３を囲う形状）が望ましいが、製品前後方向に連続する線状または点の連なりであってもよい。
【００４６】
また、切り欠き部が開いて概ね長手方向にスムーズに伸びる為には、切り欠き部の拘束が少ないことが好ましく、この観点から表面シート２と裏面シート３を接合する周縁部１１の内側縁（内側のフチの意味です）と吸収シート４１（４２）外縁との間に空隙があることが望ましい。空隙は３ｍｍ以上存在することが望ましく、５ｍｍ以上存在することが更に望ましい。また該空隙部には接着剤や熱シールなどの固定要素が存在しないことが望ましい。周縁部固定に熱シールとホットメルト接着剤とを併用する場合は、冷却後粘着性が殆どない低タックホットメルト、例えばオレフィン系ホットメルトやベースポリマー25％以上の粘着付与剤低配合ＳＢＳ（スチレン-ブタジエン-スチレン）系又はＳＥＢＳ（スチレン-エチレン-ブタジエン-スチレン）系ホットメルトが好適に用いられる。
【００４７】
また、本発明の吸収性物品は、生理用ナプキンの他、パンティライナー（おりものシート）、失禁パッド、使い捨ておむつ等であっても良い。
また、上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００４８】
１  生理用ナプキン（吸収性物品）
２  表面シート
３  裏面シート
４  吸収体
４１  シート状吸収体
４１ａ〜４１ｃ  切れ込み
４２  シート状吸収体
４２ａ〜４２ｃ  切れ込み
４３  中央吸収体
５  ショーツ（下着）
【図１】
0005411344.tif 000002
【図２】
0005411344.tif 000003
【図３】
0005411344.tif 000004
【図４】
0005411344.tif 000005
【図５】
0005411344.tif 000006
【図６】
0005411344.tif 000007
【図７】
0005411344.tif 000008
【図８】
0005411344.tif 000009
【図９】
0005411344.tif 000010